【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
ワイヤレスドッキー（ＷＤ）によって、前記ＷＤがワイヤレスドッキングセンター（ＷＤＣ）と関連付けられる１つまたは複数の周辺機能（ＰＦ）にアクセスできるように前記ＷＤＣとワイヤレスにドッキングするための複数の動作を実行することを備える方法であって、前記ＷＤは、
ドッキングサービスと、
アプリケーションサービスプラットフォーム（ＡＳＰ）と、
前記ＷＤＣと関連付けられる前記１つまたは複数のＰＦのうちの少なくとも１つのＰＦに各々対応する１つまたは複数の周辺サービスと
を備え、前記方法は、
前記ＷＤＣの対応するドッキングサービスを探すことと、
前記ＷＤＣと関連付けられる前記１つまたは複数のＰＦを決定することと、
前記ＷＤと前記ＷＤＣとの間の直接のワイヤレス接続を介してドッキングセッションを確立することと
を含む、前記ドッキングサービスによって、前記複数の動作のうちの第１のサブセットを実行するために前記ＡＳＰとインターフェースで接続することと、
前記ＷＤＣの対応する周辺サービスを使用するために、前記ＷＤの前記１つまたは複数の周辺サービスのうちの周辺サービスをトリガすることと、
前記ＷＤによる使用のために前記周辺サービスを構成することと
を含む、前記ドッキングサービスによって、前記複数の動作のうちの第２のサブセットを実行するために前記１つまたは複数の周辺サービスとインターフェースで接続することと
をさらに備える、方法。
【請求項２】
前記ＷＤＣの前記対応するドッキングサービスを探すことは、
前記ＷＤの前記ドッキングサービスによって、および前記ＷＤの前記ＡＳＰに、サービス名値、正確な検索値、ＭＡＣアドレス値、およびサービス情報要求値というパラメータを含むＳｅｅｋＳｅｒｖｉｃｅ方法を実行するための要求を送ることを備える、
請求項１に記載の方法。
【請求項３】
前記ＷＤと前記ＷＤＣとの間の前記直接のワイヤレス接続を介して前記ドッキングセッションを確立することは、
前記ＷＤの前記ドッキングサービスによって、および前記ＷＤの前記ＡＳＰに、サービスＭＡＣ値、広告識別値、セッション情報値、およびネットワークルール値というパラメータに基づいて、ＣｏｎｎｅｃｔＳｅｓｓｉｏｎｓ方法を実行するための要求を送ることを備え、前記サービスＭＡＣ値は、前記ＷＤＣのＭＡＣアドレスを示し、前記広告識別値は、前記ＷＤＣのドッキングサービスを示す、
請求項１に記載の方法。
【請求項４】
ワイヤレスドッキー（ＷＤ）であって、
前記ＷＤがワイヤレスドッキングセンター（ＷＤＣ）と関連付けられる１つまたは複数の周辺機能（ＰＦ）にアクセスできるように前記ＷＤＣとワイヤレスにドッキングするための複数の動作を実行するための手段を備え、実行するための前記手段は、
ドッキングサービスを実行するための手段と、
アプリケーションサービスプラットフォーム（ＡＳＰ）を実行するための手段と、
前記ＷＤＣと関連付けられる前記１つまたは複数のＰＦのうちの少なくとも１つのＰＦに各々対応する１つまたは複数の周辺サービスを実行するための手段と
を備え、
前記ドッキングサービスを実行するための前記手段は、前記ＷＤＣの対応するドッキングサービスを探すことと、前記ＷＤＣと関連付けられる前記１つまたは複数のＰＦを決定することと、前記ＷＤと前記ＷＤＣとの間の直接のワイヤレス接続を介してドッキングセッションを確立することとを含む、前記複数の動作のうちの第１のサブセットを実行するように前記ＡＳＰを実行するための手段とインターフェースで接続するように構成され、
前記ドッキングサービスを実行するための前記手段は、前記ＷＤＣの対応する周辺サービスを使用するために、前記ＷＤの前記１つまたは複数の周辺サービスのうちの周辺サービスをトリガすることと、前記ＷＤによる使用のために前記周辺サービスを構成することとを含む、前記複数の動作のうちの第２のサブセットを実行するように前記１つまたは複数の周辺サービスを実行するための手段とインターフェースで接続するように構成される、
ＷＤ。
【請求項５】
命令が実行されると、ワイヤレスドッキー（ＷＤ）の１つまたは複数のプロセッサに、
前記ＷＤがワイヤレスドッキングセンター（ＷＤＣ）と関連付けられる１つまたは複数の周辺機能（ＰＦ）にアクセスできるように前記ＷＤＣとワイヤレスにドッキングするための複数の動作を実行することと、
ドッキングサービスをホストすることと、
アプリケーションサービスプラットフォーム（ＡＳＰ）をホストすることと、
前記ＷＤＣと関連付けられる前記１つまたは複数のＰＦのうちの少なくとも１つのＰＦに各々対応する１つまたは複数の周辺サービスをホストすることと、
前記ＷＤＣの対応するドッキングサービスを探すことと、前記ＷＤＣと関連付けられる前記１つまたは複数のＰＦを決定することと、前記ＷＤと前記ＷＤＣとの間の直接のワイヤレス接続を介してドッキングセッションを確立することとを含む、前記複数の動作のうちの第１のサブセットを実行するために、前記ドッキングサービスを前記ＡＳＰとインターフェースで接続することと、
前記ＷＤＣの対応する周辺サービスを使用するために、前記ＷＤの前記１つまたは複数の周辺サービスのうちの周辺サービスをトリガすることと、前記ＷＤによる使用のために前記周辺サービスを構成することとを含む、前記複数の動作のうちの第２のサブセットを実行するために、前記ドッキングサービスを前記１つまたは複数の周辺サービスとインターフェースで接続することと
を行わせる、前記命令を記憶するための、非一時的コンピュータ可読記憶媒体。
【請求項６】
ワイヤレスドッキングセンター（ＷＤＣ）によって、ワイヤレスドッキー（ＷＤ）が前記ＷＤＣと関連付けられる１つまたは複数の周辺機能（ＰＦ）にアクセスできるように前記ＷＤとワイヤレスにドッキングするための複数の動作を実行することを備える方法であって、前記ＷＤＣは、
ドッキングサービスと、
アプリケーションサービスプラットフォーム（ＡＳＰ）と、
前記ＷＤＣと関連付けられる前記１つまたは複数のＰＦのうちの少なくとも１つに各々対応する１つまたは複数の周辺サービスと
を備え、前記方法は、
前記ＷＤＣの前記ドッキングサービスを前記ＷＤに広告することと、
前記ＷＤＣと前記ＷＤとの間の直接のワイヤレス接続を介してドッキングセッションを確立することと
を含む、前記ドッキングサービスによって、前記複数の動作のうちの第１のサブセットを実行するために前記ＡＳＰとインターフェースで接続することと、
前記１つまたは複数の周辺サービスのうちの特定の周辺サービスをアクティブ化または非アクティブ化することと、
前記ＷＤが前記特定の周辺サービスを使用することを許可されるかどうかを決定するためにアクセス制御を実行することと、
前記ＷＤによる使用のために前記１つまたは複数の周辺サービスを構成することと
を含む、前記ドッキングサービスによって、前記複数の動作のうちの第２のサブセットを実行するために前記１つまたは複数の周辺サービスとインターフェースで接続することと
をさらに備える、方法。
【請求項７】
前記ＷＤＣの前記ドッキングサービスを前記ＷＤに広告することは、
前記ＷＤの前記ドッキングサービスによって、および前記ＷＤの前記ＡＳＰに、サービス名値、自動受入れ値、サービス情報値、およびサービスステータス値というパラメータを含むＡｄｖｅｒｔｉｓｅＳｅｒｖｉｃｅ方法を実行するための要求を送ることを備え、前記サービス情報値は、前記ＷＤＣと関連付けられる前記１つまたは複数のＰＦのインジケーションを含む、
請求項６に記載の方法。
【請求項８】
前記ＷＤＣと前記ＷＤとの間の前記直接のワイヤレス接続を介して前記ドッキングセッションを確立することは、
前記ＷＤの前記ドッキングサービスによって、前記ＷＤの前記ＡＳＰに、セッションＭＡＣ値、セッションＩＤ値、および確認済値というパラメータの１つまたは複数に基づいてＣｏｎｆｉｒｍＳｅｓｓｉｏｎ方法を実行するための要求を送ることを備える、
請求項６に記載の方法。
【請求項９】
ワイヤレスドッキングセンター（ＷＤＣ）であって、
ワイヤレスドッキー（ＷＤ）が前記ＷＤＣと関連付けられる１つまたは複数の周辺機能（ＰＦ）にアクセスできるように前記ＷＤとワイヤレスにドッキングするための複数の動作を実行するための手段を備え、前記実行するための手段は、
ドッキングサービスを実行するための手段と、
アプリケーションサービスプラットフォーム（ＡＳＰ）を実行するための手段と、
前記ＷＤＣと関連付けられる前記１つまたは複数のＰＦのうちの少なくとも１つのＰＦに各々対応する１つまたは複数の周辺サービスを実行するための手段と
を備え、
前記ドッキングサービスを前記実行するための手段は、前記ＷＤＣの前記ドッキングサービスを前記ＷＤに広告することと、前記ＷＤＣと前記ＷＤとの間の直接のワイヤレス接続を介してドッキングセッションを確立することとを含む、前記複数の動作のうちの第１のサブセットを実行するように前記ＡＳＰを実行するための手段とインターフェースで接続するように構成され、
前記ドッキングサービスを前記実行するための手段は、前記１つまたは複数の周辺サービスのうちの特定の周辺サービスをアクティブ化または非アクティブ化することと、前記ＷＤが前記特定の周辺サービスを使用することを許可されるかどうかを決定するためにアクセス制御を実行することと、前記ＷＤによる使用のために前記１つまたは複数の周辺サービスを構成することとを含む、前記複数の動作のうちの第２のサブセットを実行するように前記１つまたは複数の周辺サービスを実行するための手段とインターフェースで接続するように構成される、
ＷＤＣ。
【請求項１０】
命令が実行されると、ワイヤレスドッキングセンター（ＷＤＣ）の１つまたは複数のプロセッサに、
ワイヤレスドッキー（ＷＤ）が前記ＷＤＣと関連付けられる１つまたは複数の周辺機能（ＰＦ）にアクセスできるように前記ＷＤとワイヤレスにドッキングするための複数の動作を実行することと、
ドッキングサービスをホストすることと、
アプリケーションサービスプラットフォーム（ＡＳＰ）をホストすることと、
前記ＷＤＣと関連付けられる前記１つまたは複数のＰＦのうちの少なくとも１つのＰＦに各々対応する１つまたは複数の周辺サービスをホストすることと、
前記ＷＤＣの前記ドッキングサービスを前記ＷＤに広告することと、前記ＷＤＣと前記ＷＤとの間の直接のワイヤレス接続を介してドッキングセッションを確立することとを含む、前記複数のうちの動作の第１のサブセットを実行するために、前記ドッキングサービスを前記ＡＳＰとインターフェースすることと、
前記１つまたは複数の周辺サービスのうちの特定の周辺サービスをアクティブ化または非アクティブ化することと、前記ＷＤが前記特定の周辺サービスを使用することを許可されるかどうかを決定するためにアクセス制御を実行することと、前記ＷＤによる使用のために前記１つまたは複数の周辺サービスを構成することとを含む、前記複数の動作のうちの第２のサブセットを実行するために、前記ドッキングサービスを前記１つまたは複数の周辺サービスとインターフェースすることと
を行わせる、前記命令を記憶するための、非一時的コンピュータ可読記憶媒体。